(57)【要約】【課題】頭部周辺の通気性を向上させると共に、寝返り時における頭部のフィット感を向上させる。【解決手段】  枕１は、使用者ＨＵの頭部ＨＤが載ることにより変形する中ユニット１０と、中ユニット１０の幅方向一側と他側のそれぞれに配置されて頭部ＨＤが載ることにより変形する右ユニット２０、及び左ユニット３０と、中ユニット１０と右ユニット２０の使用者ＨＵの胴体側端縁間を開閉自在に連結した右連結部４１と、中ユニット１０と左ユニット３０の使用者ＨＵの胴体側端縁間を近接状態で開閉自在に連結した左連結部４２と、を備え、右連結部４１、及び左連結部４２は布地によって作製され、中ユニット１０と右ユニット２０、及び中ユニット１０と左ユニット３０のそれぞれに縫い付けられている。【選択図】図５
2020127706.tif 000002
【特許請求の範囲】
【請求項１】
使用者の頭部が載ることにより変形する主枕ユニットと、
前記主枕ユニットの幅方向一側と他側のそれぞれに配置されて前記頭部が載ることにより変形する一対の副枕ユニットと、
前記主枕ユニットと前記各副枕ユニットの前記使用者の胴体側端部間を近接状態で開閉自在に連結した連結部と、
を備え、
前記連結部は布地によって作製され、前記主枕ユニットと前記各副枕ユニットとに縫い付けられていることを特徴とする枕。
【請求項２】
前記主枕ユニット、及び前記副枕ユニットは、側生地を直方体形状に縫製した袋体内に詰め物を充填したものであり、
前記連結部は、前記主枕ユニットと前記各副枕ユニットの高さ方向の全体に亘って縫い付けられていることを特徴とする請求項１に記載の枕。
【請求項３】
前記連結部は、前記側生地と同じ素材の布地を用いていることを特徴とする請求項２に記載の枕。
【発明の詳細な説明】
【技術分野】
【０００１】
本発明は、枕に関する。
【背景技術】
【０００２】
枕には、側生地で作製された袋体の内部に詰め物（樹脂製短パイプ、ビーズ、粒綿、そば殻、羽毛、及び発泡ウレタン等）を充填したものがある。この枕では、使用者の頭部が上面に載せられた時に、袋体内の詰め物が頭部を包み込むように変形して支持をする。
枕の上面は使用者の頭部や頬が直接接触するため、寝心地を左右する重要な要素である。例えば、使用者の頭部を枕上面に載せた時に側生地が引っ張られてしまうと、使用者に対して固い物の上に寝ているような感触を与えてしまい、寝心地が悪くなってしまう。
枕上面における側生地の張りを抑えるため、枕を右側部分、中央部分、及び左側部分に分割し、各部分が独立して変形可能な構成を採ることが考えられる。
【０００３】
例えば、特許文献１には、中央低枕部用、右側高枕部用、及び左側高枕部用の各独立空間を形成した袋体と、袋体における中央の独立空間に収納される布と、左右の独立空間に充填される詰め物と、を備えた枕が開示されている。当該枕の袋体において、中央の独立空間と左右の独立空間との間の仕切りは、袋体の下面において上側の布地と下側の布地とを奥行き方向に沿って縫い合わせることにより形成されている。言い換えれば、当該枕では、中央低枕部と右側高枕部との間、及び中央低枕部と左側高枕部との間が袋体（枕）の下面において奥行き方向の全長に亘って連結されている。
【先行技術文献】
【特許文献】
【０００４】
【特許文献１】実用新案登録第３１７３６５０公報
【発明の概要】
【発明が解決しようとする課題】
【０００５】
特許文献１の枕では、使用者の頭部を中央低枕部の上面に載せた時に、中央低枕部よりも高さのある各高枕部が頭部の左右両側に位置して空気の通り道を狭くするため、頭部周辺の通気性が損なわれる恐れがあった。頭部周辺の通気性が損なわれると、熱や湿気が籠もり易くなるため寝心地が悪くなり、寝返りを打つ回数が増えることから熟睡が得られ難いという問題が生じる。
また、当該枕では、中央低枕部に頭部を載せている使用者が寝返りを打つ時に、中央低枕部よりも高さのある各高枕部まで頭部を持ち上げなければならず、頭部を支えている頸部の負担（例えば筋肉の緊張）が大きくなってしまう。さらに、当該枕では、中央低枕部と各高枕部との間が枕の下面において奥行き方向の全長に亘って連結されているため、使用者が寝返りを打った時に使用者の頭部の位置が高枕部上面の中心からずれてしまい、使用者の頭部に違和感を与える恐れがあった。睡眠中の使用者は無意識であるため、寝返りに伴う頸部への負担や頭部の違和感は起床後において知覚され、痛みやだるさの一因となり得る。
本発明は、このような事情に鑑みてなされたものであり、その目的は、頭部周辺の通気性を向上させると共に、寝返り時における頭部のフィット感を向上させることにある。
【課題を解決するための手段】
【０００６】
上記課題を解決するために、本発明に係る枕は、使用者の頭部が載ることにより変形する主枕ユニットと、前記主枕ユニットの幅方向一側と他側のそれぞれに配置されて前記頭部が載ることにより変形する一対の副枕ユニットと、前記主枕ユニットと前記各副枕ユニットの前記使用者の胴体側端部間を近接状態で開閉自在に連結した連結部と、を備え、前記連結部は布地によって作製され、前記主枕ユニットと前記各副枕ユニットとに縫い付けられていることを特徴とする。
【発明の効果】
【０００７】
本発明によれば、頭部周辺の通気性を向上させると共に、寝返り時における頭部のフィット感を向上させることができる。
【図面の簡単な説明】
【０００８】
【図１】本発明の第一実施形態に係る枕の正面図である。
【図２】本発明の第一実施形態に係る枕の平面図である。
【図３】本発明の第一実施形態に係る枕の底面図である。
【図４】本発明の第一実施形態に係る枕の背面図である。
【図５】（ａ）は枕の使用状態を説明する図、（ｂ）は寝返りを打った時の頭部と各ユニットの位置関係を説明する図である。
【図６】（ａ）は各中開口を開いた時の中ユニットの底面図、（ｂ）は各中開口から各中筒布を引き出した時の中ユニットの底面図である。
【図７】（ａ）は本発明の第二実施形態に係る枕の斜視図、（ｂ）は各連結部を中心に各ユニットが扇状に開いた時の説明図である。
【図８】（ａ）は本発明の第三実施形態に係る枕の斜視図、（ｂ）は補助ユニットの使い方の説明図である。
【図９】本発明の第四実施形態に係る枕の斜視図である。
【図１０】（ａ）は本発明の第五実施形態に係る枕の使用状態を示す平面図、（ｂ）は中ユニットを背面側から見た使用状態を示す図である。
【発明を実施するための形態】
【０００９】
＜枕の概略について＞
以下、本発明の実施形態について、図面を参照して説明する。
最初に枕の概略について説明する。図１乃至図４はそれぞれ第一実施形態に係る枕１の正面図、平面図、底面図、及び背面図である。図５（ａ）は枕１の使用状態を説明する図、図５（ｂ）は寝返りを打った時の頭部ＨＤと各ユニット１０、２０、３０の位置関係を説明する図である。
なお、以下の説明において、枕１の左右は、使用者ＨＵ（図５を参照）の仰臥時の姿勢に基づいて定めている。具体的には、仰臥時に使用者ＨＵの左肩が位置する側を枕１の左側といい、右肩が位置する側を枕１の右側という。また、図１、及び図２に示すように、枕１の左右を結ぶ方向を枕１の幅方向といい、使用者ＨＵの胴体と頭頂とを結ぶ方向を枕１の奥行き方向という。さらに、枕１における使用者ＨＵの胴体側の面を正面という。
【００１０】
図１乃至図４に示すように、枕１は、中ユニット１０（主枕ユニット）と、中ユニット１０の右側（幅方向一側）に位置した右ユニット２０（一方の副枕ユニット）と、中ユニット１０の左側（幅方向他側）に位置した左ユニット３０（他方の副枕ユニット）と、中ユニット１０と右ユニット２０とを使用者ＨＵの胴体側端縁（胴体側端部）にて開閉自在に連結した右連結部４１（一方の連結部）と、中ユニット１０と左ユニット３０とを使用者ＨＵの胴体側端縁（胴体側端部）にて開閉自在に連結した左連結部４２（他方の連結部）と、を備えている。中ユニット１０、右ユニット２０、及び左ユニット３０は、それぞれ直方体形状をしている。
図５（ａ）（ｂ）に示すように、中ユニット１０は仰臥姿勢の使用者ＨＵが頭部ＨＤを載せる部分であり、右ユニット２０は中ユニット１０に頭部ＨＤを載せている使用者ＨＵが右側に寝返りを打った時に頭部ＨＤが載る部分であり、左ユニット３０は中ユニット１０に頭部ＨＤを載せている使用者ＨＵが左側に寝返りを打った時に頭部ＨＤが載る部分である。各ユニット１０、２０、３０は、上面に使用者ＨＵの頭部ＨＤが載ることに伴って頭部ＨＤを包み込むように変形し、頭部ＨＤへの押圧力を分散する。
各連結部４１、４２は柔軟な布地によって作製されており、隣接するユニット同士を連結すると共に、使用者ＨＵの頭部ＨＤが何れかのユニットに載せられた時には当該ユニットの変形に倣って変形する。
【００１１】
図１乃至図５に示すように、各ユニット１０、２０、３０は右連結部４１、及び左連結部４２以外の部分で縁が切れているために独立して変形可能であり、使用者ＨＵの頭部ＨＤを載せたユニットが変形しても他のユニットはこの変形の影響を殆ど受けない。これにより、頭部ＨＤを載せたユニットのみが当該頭部ＨＤを包み込むように変形するため、寝心地を向上させることができる。
また、図５（ａ）（ｂ）に示すように、この枕１では、各連結部４１、４２を中心に各ユニット１０、２０、３０を扇形に開くことにより、ユニット同士の間には空所（右空所ＳＰ１、左空所ＳＰ２）が形成される。各空所ＳＰ１、ＳＰ２により頭部ＨＤ周辺の通気性がよくなるため、熱や湿気が籠もり難くなり、寝心地を向上させることができる。
さらに、この枕１では、寝返りに伴って使用者ＨＵの頭部ＨＤが隣のユニットに移動すると、移動先のユニットは頭部ＨＤが載ることによって位置がずれる。寝返りが繰り返し行われることにより、各ユニット１０、２０、３０は使用者ＨＵに適した位置に落ち着くため、寝返り時における頭部ＨＤのフィット感を向上させることができる。
【００１２】
＜第一実施形態について＞
以下、第一実施形態の枕１について詳細に説明する。
図１乃至図４に示すように、枕１は、中ユニット１０、右ユニット２０、左ユニット３０、右連結部４１、及び左連結部４２と、を備えている。
中ユニット１０は、柔軟な側生地を直方体形状に縫製した中袋体１１内に詰め物（図示せず）を充填したものであり、使用者ＨＵの頭部ＨＤが載ることにより変形する。中袋体１１を構成する側生地は、例えば、ポリエステルやポリエチレン等の化学繊維製の布地、或いは木綿、麻、及び絹等の天然繊維製の布地を用いることができる。本実施形態では、ポリエステル製の布地を用いている。中袋体１１に充填される詰め物は、通気性、吸湿性、放湿性、クッション性、及びサポート性等を考慮して選択され、例えば樹脂製短パイプ、ビーズ、粒綿、そば殻、羽毛、及び発泡ウレタンを用いることができる。本実施形態では樹脂製短パイプを用いている。
【００１３】
中袋体１１の大きさは適宜定めることができるが、本実施形態では幅Ｗ１が１８ｃｍ、奥行きＬ１が１８ｃｍ、高さＨ１が１５ｃｍである。
中ユニット１０は仰臥姿勢の使用者ＨＵが頭部ＨＤを載せるためのものであるから、その幅（中袋体１１の幅Ｗ１）は、使用者ＨＵが寝返りを打った時に、頭部ＨＤが右ユニット２０や左ユニット３０へ支障なく移動できる広さであることが求められる。また、中ユニット１０の幅Ｗ１を狭くし過ぎると中ユニット１０が変形し難くなり、使用者ＨＵに対して固い物の上に寝ているような感触を与えてしまう。これらの観点から中ユニット１０の幅Ｗ１は、使用者ＨＵの首幅の１．５倍以上２倍以下に定めることが望ましい。
例えば、女性の平均的な首幅は１０ｃｍ程度（首周り３２ｃｍ相当）であり、男性の平均的な首幅は１１．５ｃｍ程度（首周り３６ｃｍ相当）である。従って、中ユニット１０の幅Ｗ１を１５ｃｍ（女性の首幅の１．５倍）乃至２３ｃｍ（男性の首幅の２倍）の範囲に定めることにより、中ユニット１０に頭部ＨＤを載せている横臥姿勢の使用者ＨＵが寝返りを打った時に、頭部ＨＤを隣のユニット２０、３０の上面に位置させることができる。
【００１４】
中ユニット１０の奥行き（中袋体１１の奥行き方向の長さＬ１）は、頭頂部からの放熱性を向上させるため、使用者ＨＵの頸部から後頭部までを支持し、且つ頭頂部を支持しない長さに定めている。
平均的な体格の成人において、後頭部の頂部（最も出っ張った部分）から頸部の付け根（肩部との境界）までの距離は１８ｃｍ乃至２５ｃｍである。従って、中ユニット１０の奥行きＬ１を１８ｃｍに定めることにより、頭頂部が中ユニット１０によって支持されなくなり、頭頂部の熱が空気中へ放出され易くなる。その結果、枕１に熱が籠もり難くなり、寝心地が向上する。
なお、中ユニット１０の奥行きＬ１は１８ｃｍに限定されるものではない。例えば、上述した後頭部の頂部から頸部の付け根までの平均的な距離（１８ｃｍ乃至２５ｃｍ）を基準にして多少の余裕（±３ｃｍ）を持たせ、奥行きＬ１を１５ｃｍ乃至２８ｃｍの範囲に定めても同様の効果を得ることができる。
【００１５】
中ユニット１０の高さは中袋体１１に充填する詰め物の量によって調整することができ、その最大値は中袋体１１の高さＨ１になる。また、中ユニット１０の固さは詰め物の種類と充填量によって調整することができる。
図２、及び図３に示すように、中袋体１１の内周面であって奥行き方向の中間位置（例えば、中袋体１１の正面から頭頂側に９ｃｍ離隔した位置）には仕切り生地１２の外周縁を縫い付けてあり、詰め物を充填可能な第一小室１０Ａ、及び第二小室１０Ｂを中袋体１１の内部に形成している。本実施形態において、第一小室１０Ａは中ユニット１０における奥行き方向の胴体側に位置し、第二小室１０Ｂは奥行き方向の頭頂側に位置している。
図３、及び図６（ａ）に示すように、中ユニット１０の底面における第一小室１０Ａ側には第一中線ファスナ１４Ａによって開閉自在な第一中開口１３Ａを設け、第二小室１０Ｂ側には第二中線ファスナ１４Ｂによって開閉自在な第二中開口１３Ｂを設けている。図６（ｂ）に示すように、第一中開口１３Ａには筒形の第一中筒布１５Ａの一端を縫い付けてあり、第一中筒布１５Ａを第一小室１０Ａに連通させている。第二中開口１３Ｂには筒形の第二中筒布１５Ｂの一端を縫い付けてあり、第二中筒布１５Ｂを第二小室１０Ｂに連通させている。
【００１６】
図３、及び図６（ａ）（ｂ）に示すように、第一中開口１３Ａは、枕１の幅方向に沿った線状の切り込みであり、第一小室１０Ａに詰め物を充填したり、第一小室１０Ａから詰め物を出したりする時に用いられる。第一中筒布１５Ａは、詰め物を第一小室１０Ａに出し入れする時に、詰め物が零れ落ちないように補助する。第一中筒布１５Ａは、詰め物を出し入れしない時には第一小室１０Ａに収納されており、詰め物を出し入れする時に第一中開口１３Ａの外部に引き出される。
同様に、第二中開口１３Ｂは、枕１の幅方向に沿った線状の切り込みであり、詰め物を第二小室１０Ｂに充填したり、第二小室１０Ｂから出したりする時に用いられる。第二中筒布１５Ｂは、詰め物を第二小室１０Ｂに出し入れする時に、詰め物が零れ落ちないように補助する。第二中筒布１５Ｂは、詰め物を出し入れしない時には第二小室１０Ｂに収納されており、詰め物を出し入れする時に第二中開口１３Ｂの外部に引き出される。
【００１７】
第一小室１０Ａと第二小室１０Ｂは互いに独立した空間であるため、詰め物の種類や充填量をそれぞれに定めることができる。例えば、胴体側の第一小室１０Ａには使用者ＨＵの頸部を支えるために必要な量の詰め物を充填し、頭頂側の第二小室１０Ｂには第一小室１０Ａと比較して少ない量の詰め物を充填することにより、後頭部の形状にあわせて変形し易くすることができる。また、第一小室１０Ａには樹脂製短パイプに換えて粒綿を充填し、頸部との接触面における柔軟性を向上させることもできる。
【００１８】
図１乃至図４に示すように、右ユニット２０は、柔軟な側生地を直方体形状に縫製した右袋体２１内に詰め物を充填したものであり、使用者ＨＵの頭部ＨＤが載ることにより変形する。本実施形態において、右袋体２１の幅Ｗ２は１５ｃｍ、奥行きＬ１は１８ｃｍ、高さＨ１は１５ｃｍであるが、これらの寸法に限定されない。
右袋体２１を構成する側生地は、中袋体１１と同様に化学繊維や天然繊維を用いることができる。本実施形態では、中袋体１１と同じ素材の側生地、具体的にはポリエステル製の布地を用いている。右袋体２１に充填される詰め物も中袋体１１用の詰め物と同様のものを用いることができる。本実施形態では樹脂製短パイプを用いている。
図４に示すように、右ユニット２０の背面には右線ファスナ２３によって開閉自在な右開口２２を設けている。右開口２２には右筒布の一端を縫い付けてあり、右筒布を右袋体２１の内部空間に連通させている。なお、右筒布は、図６（ｂ）で説明した第一中筒布１５Ａや第二中筒布１５Ｂと同じ構成であるため、図示並びに詳細な説明は省略する。
右ユニット２０においても、詰め物の種類を選択し充填量を調整することにより、固さや高さを調整することができる。
【００１９】
図１乃至図４に示すように、左ユニット３０は、柔軟な側生地を直方体形状に縫製した左袋体３１内に詰め物を充填したものであり、使用者ＨＵの頭部ＨＤが載ることにより変形する。本実施形態において、左袋体３１の寸法は右袋体２１の寸法に揃えられており、幅Ｗ３が１５ｃｍ、奥行きＬ１が１８ｃｍ、高さＨ１が１５ｃｍである。なお、左袋体３１の各寸法を右袋体２１の各寸法と異ならせてもよい。
左袋体３１を構成する側生地は、中袋体１１や右袋体２１と同様に化学繊維や天然繊維を用いることができる。本実施形態では、中袋体１１や右袋体２１と同じ素材の側生地、具体的にはポリエステル製の布地を用いている。左袋体３１に充填される詰め物も中袋体１１や右袋体２１用の詰め物と同様のものを用いることができる。本実施形態では、樹脂製短パイプを用いている。
図４に示すように、左ユニット３０の背面には左線ファスナ３３によって開閉自在な左開口３２を設けている。左開口３２には左筒布の一端を縫い付けてあり、左筒布を左袋体３１の内部空間に連通させている。なお、左筒布も、図６（ｂ）で説明した第一中筒布１５Ａや第二中筒布１５Ｂと同じ構成であるため、図示並びに詳細な説明は省略する。
左ユニット３０においても、詰め物の種類を選択し充填量を調整することにより、固さや高さを調整することができる。
【００２０】
図１乃至図３に示すように、右連結部４１は、中ユニット１０と右ユニット２０とを使用者ＨＵの胴体側端縁にて開閉自在に連結するものであり、柔軟性を有する帯状の布地によって作製されている。本実施形態では中袋体１１や右袋体２１と同じ素材の布地を用いているが、異なる素材の布地を用いてもよい。
図１に示すように、右連結部４１の右縁は右袋体２１の胴体側左端縁に縫い合わせており、右連結部４１の左縁は中袋体１１の胴体側右端縁に縫い合わせている。本実施形態では、高さ方向の全体に亘って縫い合わせているが、高さ方向の一部で縫い合わせてもよい。右連結部４１において、右袋体２１の胴体側左端縁と中袋体１１の胴体側右端縁との間隔Ｗ４は５ｍｍであるが、この寸法に限定されるものではない。
右連結部４１により、右ユニット２０は中ユニット１０に対して右連結部４１を中心に最大２７０度まで水平方向に開くことができる。
【００２１】
図１乃至図３に示すように、左連結部４２は、中ユニット１０と左ユニット３０とを使用者ＨＵの胴体側端縁にて開閉自在に連結するものであり、柔軟性を有する帯状の布地によって作製されている。本実施形態では中袋体１１や左袋体３１と同じ素材の布地を用いているが、異なる素材の布地を用いてもよい。
図１に示すように、左連結部４２の右縁は中袋体１１の胴体側左端縁に縫い合わせており、左連結部４２の左縁は左袋体３１の胴体側右端縁に縫い合わせている。本実施形態では、高さ方向の全体に亘って縫い合わせているが、高さ方向の一部で縫い合わせてもよい。左連結部４２において、中袋体１１の胴体側左端縁と左袋体３１の胴体側右端縁との間隔Ｗ５は５ｍｍであるが、この寸法に限定されるものではない。
左連結部４２により、左ユニット３０は中ユニット１０に対して左連結部４２を中心に最大２７０度まで水平方向に開くことができる。
【００２２】
以上のように構成された第一実施形態の枕１では、中ユニット１０と右ユニット２０とが右連結部４１以外の部分において縁が切れており、一方のユニットに使用者ＨＵの頭部ＨＤが載せられて変形しても、他方のユニットはその影響を殆ど受けない。同様に、中ユニット１０と左ユニット３０とが左連結部４２以外の部分において縁が切れており、一方のユニットに使用者ＨＵの頭部ＨＤが載せられて変形しても、他方のユニットはその影響を殆ど受けない。その結果、使用者ＨＵの頭部ＨＤを何れかのユニットの上面に載せた時に当該ユニットのみが頭部ＨＤを包み込むように変形し、頭部ＨＤへの押圧力を分散させて支持をするため、寝心地を向上させることができる。
図５（ａ）（ｂ）に示すように、この枕１では、各連結部４１、４２を中心に右ユニット２０、及び左ユニット３０を水平方向に開いて使用することにより、中ユニット１０と右ユニット２０との間に右空所ＳＰ１が形成され、中ユニット１０と左ユニット３０との間に左空所ＳＰ２が形成される。各空所ＳＰ１、ＳＰ２により頭部ＨＤ周辺の通気性がよくなるため、熱や湿気が籠もり難くなって寝心地が向上する。さらに、右ユニット２０の正面、及び左ユニット３０の正面を使用者ＨＵの肩に沿って配置できるため、使用者ＨＵに対して肩を包みこむような安心感を与えることもできる。
【００２３】
図５（ｂ）に示すように、この枕１では、寝返りに伴って使用者ＨＵの頭部ＨＤが隣のユニット（各ユニット１０、２０、３０の何れか）に移動すると、移動先のユニットは頭部ＨＤが載ることによって位置がずれる。寝返りは寝心地のよい場所を求める動作のため、寝返り後の頭部ＨＤの位置には個人差があり、移動先のユニットは寝返り後の頭部ＨＤに応じた位置にずれる。
移動先のユニットは寝返りが行われる毎に位置をずらし、最終的には使用者ＨＵにとって寝心地のよい位置に落ち着く。従って、各ユニット１０、２０、３０は使用者ＨＵに適した位置に配置され、寝返り時における頭部ＨＤのフィット感を向上させることができる。さらに、従来の枕を使用した時と比較して寝返りの回数を減らすことができ、深く眠れるようになる。
なお、使用者ＨＵによっては、左右の各ユニット２０、３０が中ユニット１０に対して閉じている方がよいこともある。本実施形態の枕１では、左右の各ユニット２０、３０が中ユニット１０に対して開閉自在であることから、使用者ＨＵのこのような要求にも応えることができる。
【００２４】
＜第二実施形態について＞
以下、第二実施形態の枕１００について説明する。図７（ａ）は第二実施形態に係る枕１００の斜視図、図７（ｂ）は各連結部１４１、１４２を中心に各ユニット１１０、１２０、１３０が扇状に開いた時の説明図である。
図７（ａ）に示す枕１００は、第一実施形態の枕１と同様に、中ユニット１１０、右ユニット１２０、左ユニット１３０、右連結部１４１、及び左連結部１４２と、を備えている。第二実施形態の枕１００は、各ユニット１１０、１２０、１３０の幅Ｗ１１、Ｗ１２、Ｗ１３、及び奥行きＬ１１と比較して高さＨ１１が低い扁平形状をしている点、及び奥行きＬ１１が第一実施形態の枕１の奥行きＬ１と比較して十分に長くなっており、使用者ＨＵの頸部から頭頂部に亘って支持する点が、第一実施形態の枕１と相違している。
【００２５】
中ユニット１１０は、柔軟な側生地を扁平な直方体形状に縫製した中袋体１１１内に詰め物を充填したものである。中袋体１１１を構成する側生地は、第一実施形態の枕１が備えた中袋体１１と同様に各種の化学繊維や天然繊維を用いることができる。中袋体１１１には、第一実施形態の中袋体１１と同様に各種の詰め物を選択的に充填できる。
本実施形態において、中袋体１１１の幅Ｗ１１は２１ｃｍ、奥行きＬ１１は４３ｃｍ、高さＨ１１は８ｃｍであるが、これらの寸法に限定されない。図示は省略するが、中袋体１１１の底面には、中線ファスナによって開閉自在な中開口を設けている。中開口には筒形の中筒布の一端を縫い付けてあり、中筒布を中袋体１１１の内部空間に連通させている。
【００２６】
右ユニット１２０は、柔軟な側生地を扁平な直方体形状に縫製した右袋体１２１内に詰め物を充填したものである。右袋体１２１を構成する側生地もまた各種の化学繊維や天然繊維を用いることができ、右袋体１２１には各種の詰め物を充填できる。
本実施形態において、右袋体１２１は中袋体１１１と同じ寸法（幅Ｗ１２が２１ｃｍ、奥行きＬ１１が４３ｃｍ、高さＨ１１が８ｃｍ）であるが、これらの寸法に限定されない。図示は省略するが、右袋体１２１の底面には、右線ファスナによって開閉自在な右開口を設けている。右開口には筒形の右筒布の一端を縫い付けてあり、右筒布を右袋体１２１の内部空間に連通させている。
【００２７】
左ユニット１３０は、柔軟な側生地を扁平な直方体形状に縫製した左袋体１３１内に詰め物を充填したものである。左袋体１３１を構成する側生地もまた各種の化学繊維や天然繊維を用いることができ、左袋体１３１には各種の詰め物を充填できる。
本実施形態において、左袋体１３１は中袋体１１１や右袋体１２１と同じ寸法（幅Ｗ１３が２１ｃｍ、奥行きＬ１１が４３ｃｍ、高さＨ１１が８ｃｍ）であるが、これらの寸法に限定されない。図示は省略するが、左袋体１３１の底面には、左線ファスナによって開閉自在な左開口を設けている。左開口には筒形の左筒布の一端を縫い付けてあり、左筒布を左袋体の内部空間に連通させている。
【００２８】
図７（ａ）（ｂ）に示すように、右連結部１４１は、中ユニット１１０と右ユニット１２０とを使用者ＨＵの胴体側端縁にて開閉自在に連結するものであり、柔軟性を有する帯状の布地によって作製されている。
右連結部１４１の右縁は右袋体１２１の胴体側左端縁に縫い合わせており、右連結部１４１の左縁は中袋体１１１の胴体側右端縁に縫い合わせている。本実施形態では、高さ方向の全体に亘って縫い合わせているが、高さ方向の一部で縫い合わせてもよい。右連結部１４１において、右袋体１２１の胴体側左端縁と中袋体１１１の胴体側右端縁との間隔Ｗ１４は５ｍｍであるが、この寸法に限定されるものではない。
右連結部１４１により、右ユニット１２０は中ユニット１１０に対して右連結部１４１を中心に最大２７０度まで水平方向に開くことができる。
【００２９】
左連結部１４２は、中ユニット１１０と左ユニット１３０とを使用者ＨＵの胴体側端縁にて開閉自在に連結するものであり、右連結部１４１と同じく柔軟性を有する帯状の布地によって作製されている。
左連結部１４２の右縁は中袋体１１１の胴体側左端縁に縫い合わせており、左連結部１４２の左縁は左袋体１３１の胴体側右端縁に縫い合わせている。本実施形態では、高さ方向の全体に亘って縫い合わせているが、高さ方向の一部で縫い合わせてもよい。左連結部４２において、中袋体１１１の左縁と左袋体１３１の右縁との間隔Ｗ１５は５ｍｍであるが、この寸法に限定されるものではない。
左連結部１４２により、左ユニット１３０は中ユニット１１０に対して左連結部１４２を中心に最大２７０度まで水平方向に開くことができる。
【００３０】
以上のように構成された第二実施形態の枕１００でも、第一実施形態の枕１と同様に、使用者ＨＵの頭部ＨＤを何れかのユニット（中ユニット１１０、右ユニット１２０、左ユニット１３０の何れか）の上面に載せた時に当該ユニットのみが頭部ＨＤを包み込むように変形するため、寝心地を向上させることができる。
図７（ｂ）に示すように、この枕１００でも、各連結部１４１、１４２を中心に右ユニット１２０、及び左ユニット１３０を水平方向に開いて使用することにより、中ユニット１１０と右ユニット１２０の間に右空所ＳＰ１１が、中ユニット１１０と左ユニット１３０の間に左空所ＳＰ１２がそれぞれ形成され、頭部ＨＤ周辺の通気性がよくなって寝心地が向上する。
【００３１】
＜第三実施形態について＞
以下、第三実施形態の枕２００について説明する。図８（ａ）は本発明の第三実施形態に係る枕２００の斜視図、図８（ｂ）は補助ユニット２５０の使い方の説明図である。
図８（ａ）に示す枕２００は、第一実施形態の枕１と同様に、中ユニット２１０、右ユニット２２０、左ユニット２３０、右連結部２４１、及び左連結部２４２と、を備えている。
なお、第三実施形態の枕２００が備えている中ユニット２１０、右ユニット２２０、左ユニット２３０、右連結部２４１、及び左連結部２４２は、第一実施形態の枕１が備えている中ユニット１０、右ユニット２０、左ユニット３０、右連結部４１、及び左連結部４２と同じ構成であるため、詳細な説明は省略する。
第三実施形態の枕２００では、右ユニット２２０の右側（幅方向における主枕ユニットとは反対側）に補助ユニット２５０を配置し、補助ユニット２５０と右ユニット２２０とを使用者ＨＵの胴体側端縁（胴体側端部）間で開閉自在に連結する補助連結部（他の連結部）２４３と、を備えている点が第一実施形態の枕１と相違している。
【００３２】
補助ユニット２５０は、柔軟な側生地を直方体形状に縫製した補助袋体２５１内に詰め物を充填したものであり、使用者ＨＵの右上腕部ＡＭが載ることにより変形する。補助袋体２５１を構成する側生地は、第一実施形態の枕１が備えた中袋体１１と同様に各種の化学繊維や天然繊維を用いることができる。補助袋体２５１には、中袋体１１と同様に各種の詰め物を選択的に充填できる。図示は省略するが、補助袋体２５１の背面には、線ファスナによって開閉自在な開口を設けている。当該開口には筒布の一端を縫い付けてあり、筒布を補助袋体２５１の内部空間に連通させている。
使用者ＨＵの右上腕部ＡＭを載せることから、補助ユニット２５０の高さは右ユニット２２０の高さと比較して低く定められている。言い換えれば、補助ユニット２５０は、側生地を右袋体２２１よりも高さの低い直方体形状に縫製した補助袋体２５１内に詰め物を充填したものである。
本実施形態において、補助袋体２５１の幅Ｗ２２は１５ｃｍ、奥行きＬ２２は１８ｃｍ、高さＨ２２は８ｃｍであり、右袋体２２１の幅Ｗ２１は１５ｃｍ、奥行きＬ２１は１８ｃｍ、高さＨ２１は１５ｃｍであるが、これらの寸法に限定されない。例えば、補助袋体２５１の高さＨ２２を右袋体２１の高さＨ２１に揃え、詰め物の充填量によって補助ユニット２５０の高さを調整してもよい。
【００３３】
補助連結部２４３は、右ユニット２２０と補助ユニット２５０とを使用者ＨＵの胴体側端縁にて開閉自在に連結するものであり、柔軟性を有する帯状の布地によって作製されている。
補助連結部２４３の右縁は補助袋体２５１の胴体側左端縁に縫い合わせており、補助連結部２４３の左縁は右袋体２２１の胴体側右端縁に縫い合わせている。本実施形態では、補助袋体２５１における高さ方向の全体に亘って縫い合わせているが、高さ方向の一部で縫い合わせてもよい。補助連結部２４３において、補助袋体２５１の胴体側左端縁と右袋体２２１の胴体側右端縁との間隔Ｗ２３は５ｍｍであるが、この寸法に限定されるものではない。
【００３４】
補助連結部２４３により、補助ユニット２５０は右ユニット２２０に対して補助連結部２４３を中心に最大２７０度まで水平方向に開くことができる。これにより、使用者ＨＵは、補助ユニット２５０を好みの場所に位置付けることができる。
図８（ｂ）に示すように、第三実施形態の枕２００では、使用者ＨＵの右上腕部ＡＭを補助ユニット２５０の上面に載せることができるため、右上腕部ＡＭをマットレスの上面よりも少し高くした姿勢で睡眠を取りたい使用者ＨＵの要求に応えることができる。
さらに、補助ユニット２５０の高さＨ２２が右ユニット２２０の高さＨ２１と比較して低いため、使用者ＨＵの右上腕部ＡＭを違和感のない高さに位置付けることができる。
【００３５】
＜第四実施形態について＞
以下、第四実施形態の枕３００について説明する。図９は本発明の第四実施形態に係る枕３００の斜視図である。
図９に示す枕３００は、第一実施形態の枕１と同様に、中ユニット３１０、右ユニット３２０、左ユニット３３０、右連結部３４１、及び左連結部３４２と、を備えている。
なお、第四実施形態の枕３００が備えている中ユニット３１０、右ユニット３２０、左ユニット３３０、右連結部３４１、及び左連結部３４２は、第一実施形態の枕１が備えている中ユニット１０、右ユニット２０、左ユニット３０、右連結部４１、及び左連結部４２と同じ構成であるため、詳細な説明は省略する。
第四実施形態の枕３００では、右ユニット３２０の右側（幅方向における主枕ユニットとは反対側）に補助ユニット３５０を配置し、補助ユニット３５０と右ユニット３２０とを使用者ＨＵの胴体側端部間で開閉自在に連結する補助連結部（他の連結部）３４３と、を備えている点が第一実施形態の枕１と相違している。
【００３６】
補助ユニット３５０は、柔軟な側生地を円柱形状に縫製した補助袋体３５１内に詰め物を充填したものである。補助袋体３５１を構成する側生地は、第一実施形態の枕１が備えた中袋体１１と同様に各種の化学繊維や天然繊維を用いることができる。補助袋体３５１には、中袋体１１と同様に各種の詰め物を選択的に充填できる。補助袋体３５１の右側面には、線ファスナ３５３によって開閉自在な開口３５２を設けている。当該開口３５２には筒布の一端を縫い付けてあり、筒布を補助袋体３５１の内部空間に連通させている。
補助ユニット３５０は、いわゆる抱き枕と同等な機能を有しており、使用者ＨＵに抱きかかえられたり、使用者ＨＵの右上腕部ＡＭが載せられる。本実施形態において、補助袋体３５１の幅Ｗ３２は２５ｃｍ、直径Ｒ３２は１２ｃｍであるが、これらの寸法に限定されない。
補助連結部３４３は、右ユニット３２０と補助ユニット３５０とを使用者ＨＵの胴体側端縁にて開閉自在に連結するものであり、補助ユニット３５０側の紐３４３ａと右ユニット３２０側の紐３４３ｂによって構成されている。紐３４３ａは、補助ユニット３５０における胴体側左端部に２本、上下方向に間隔を空けて取り付けられている。同様に、紐３４３ｂは、右ユニット３２０の胴体側右端縁に２本、上下方向に間隔を空けて取り付けられている。補助ユニット３５０を右ユニット３２０に取り付ける時には、右ユニット３２０側の紐３４３ａと補助ユニット３５０側の紐３４３ｂとを結び付ける。なお、紐３４３ａ、及び紐３４３ｂの数は２本に限らず、１本でもよいし３本以上であってもよい。
【００３７】
補助連結部３４３により、補助ユニット３５０は右ユニット３２０に対して補助連結部３４３を中心に最大２７０度まで水平方向に開くことができる。これにより、使用者ＨＵは、補助ユニット３５０を好みの場所に位置付けることができる。第四実施形態において補助ユニット３５０は円柱形状であるため、使用者ＨＵは補助ユニット３５０を抱きかかえたり、右上腕部ＡＭを載せることにより、安心感を得ることができる。
【００３８】
＜第五実施形態について＞
以下、第五実施形態の枕４００について説明する。図１０（ａ）は本発明の第五実施形態に係る枕４００の使用状態を示す平面図、図１０（ｂ）は中ユニット４１０を背面側から見た使用状態を示す図である。
図１０に示す枕４００は、第一実施形態の枕１と同様に、中ユニット４１０、右ユニット４２０、左ユニット４３０、右連結部４４１、及び左連結部４４２と、を備えている。
なお、第五実施形態の枕４００が備えている中ユニット４１０、右ユニット４２０、左ユニット４３０、右連結部４４１、及び左連結部４４２は、第一実施形態の枕１が備えている中ユニット１０、右ユニット２０、左ユニット３０、右連結部４１、及び左連結部４２と同じ構成であるため、詳細な説明は省略する。
第五実施形態の枕４００は、中ユニット４１０と右ユニット４２０の使用者ＨＵの頭頂側端部間に設けられ、中ユニット４１０に対する右ユニット４２０の最大開放角度を規定する右ストッパ紐４４３（角度規定部）と、中ユニット４１０と左ユニット４３０の使用者ＨＵの頭頂側端部間に設けられ、中ユニット４１０に対する左ユニット４３０の最大開放角度を規定する左ストッパ紐４４４（角度規定部）と、を備えている点が第一実施形態の枕１と相違している。
【００３９】
右ストッパ紐４４３は、基端を右袋体４２１の頭頂側左端縁に取り付けた紐４４３ａと、基端を中袋体４１１の頭頂側右端縁に取り付けた紐４４３ｂと、を備えている。右ストッパ紐４４３では、紐４４３ａと紐４４３ｂとを結ぶことにより、中ユニット４１０に対する右ユニット４２０の最大開放角度を規定できる。そして、紐４４３ａ、及び紐４４３ｂにおける結び目までの長さに応じて、最大開放角度を調節できる。
左ストッパ紐４４４は、基端を左袋体４３１の頭頂側右端縁に取り付けた紐４４４ａと、基端を中袋体４１１の頭頂側左端縁に取り付けた紐４４４ｂと、を備えている。左ストッパ紐４４４では、紐４４４ａと紐４４４ｂとを結ぶことにより、中ユニット４１０に対する左ユニット４２０の最大開放角度を規定できる。そして、紐４４４ａ、及び紐４４４ｂにおける結び目までの長さに応じて、最大開放角度を調節できる。
本実施形態の枕４００では、各ストッパ紐４４３、４４４によって中ユニット４１０に対する右ユニット４２０の最大開放角度、及び中ユニット４１０に対する左ユニット４３０の最大開放角度が規定されるため、左右の各ユニット４２０、４３０の開きすぎを抑制して使用者ＨＵの好みにあわせることができる。
なお、各ストッパ紐４４３、４４４は、各袋体４１１乃至４３１における高さ方向の中間位置に取り付けられているが、高さ方向の上端に取り付けてもよく、下端に取り付けてもよい。さらに、各ストッパ紐４４３、４４４を、高さ方向の位置を異ならせて複数本取り付けてもよい。
【００４０】
＜変形例について＞
前述した第一実施形態において、中ユニット１０は使用者ＨＵの胴体側に位置する第一小室１０Ａと頭頂側に位置する第二小室１０Ｂとを備えていたが、この構成に限定されない。例えば、中ユニット１０を上側に位置する上小室と下側に位置する下小室とに分割してもよい。
前述した第一実施形態において、右ユニット２０、及び左ユニット３０は単一の内部空間を備えていたが、この構成に限定されない。例えば、右ユニット２０、及び左ユニット３０の内部空間を複数の小室に分割してもよい。この場合において、各ユニット２０、３０の内部空間を、使用者ＨＵの胴体側と頭頂側とに分割してもよく、高さ方向の上側と下側とに分割してもよい。
前述した第三実施形態において、補助ユニット２５０は右ユニット２２０の右側に連結していたが、この構成に限定されない。例えば、補助ユニット２５０を左ユニット２３０の左側に連結してもよく、右ユニット２２０の右側と左ユニット２３０の左側のそれぞれに連結してもよい。
【００４１】
前述した第五実施形態において、中ユニット４１０と右ユニット４２０の使用者ＨＵの頭頂側端部間には右ストッパ紐４４３を設け、中ユニット４１０と左ユニット４３０の使用者ＨＵの頭頂側端部間には左ストッパ紐４４４を設けていたが、この構成に限定されない。例えば、右ストッパ紐４４３に代えて右ストッパ布（角度規定部）を設け、左ストッパ紐４４４に代えて左ストッパ布（角度規定部）を設けてもよい。右ストッパ布、及び左ストッパ布は、例えば矩形の布地によって構成される。右ストッパ布の右縁は右袋体４２１の頭頂側左端縁に縫い合わせ、右ストッパ布の左縁は中袋体４１１の頭頂側右端縁に縫い合わせる。同様に、左ストッパ布の右縁は中袋体４１１の頭頂側左端縁に縫い合わせ、左ストッパ布の左縁は左袋体４１１の頭頂側右端縁に縫い合わせる。各ストッパ布を用いても第五実施形態の枕４００と同様な作用効果を奏する。なお、各ストッパ布は、高さ方向の全体に亘って縫い合わせてもよいし、高さ方向の一部で縫い合わせてもよい。
前述した各実施形態において、各ユニット（中ユニット１０等）はそれぞれ直方体形状の袋体（中袋体１１等）に充填材を充填したものであったが、袋体は直方体形状以外の形状であってもよい。例えば、各袋体を円柱形状にしてもよいし、多角柱（三角柱、五角柱、六角柱、八角柱等）形状にしてもよい。円柱形状の袋体を用いた枕において、中袋体と右袋体との間、及び中袋体と左袋体との間は、例えば使用者ＨＵの胴体側端部であって高さ方向の中間位置にて連結すればよい。また、袋体同士を連結する連結部は、例えば布地を用いてもよいし、紐を用いてもよい。
【００４２】
[本発明の実施態様例と作用、効果のまとめ]
＜第一の実施態様＞
本態様に係る枕１は、使用者ＨＵの頭部ＨＤが載ることにより変形する中ユニット１０（主枕ユニット）と、中ユニット１０の幅方向一側と他側のそれぞれに配置されて頭部ＨＤが載ることにより変形する右ユニット２０、及び左ユニット３０（一対の副枕ユニット）と、中ユニット１０と右ユニット２０の使用者ＨＵの胴体側端縁間を開閉自在に連結した右連結部４１と、中ユニット１０と左ユニット３０の使用者ＨＵの胴体側端縁間を近接状態で開閉自在に連結した左連結部４２と、を備え、各連結部４１、４２は布地によって作製され、中ユニット１０と右ユニット２０の使用者ＨＵの胴体側端縁間、及び中ユニット１０と左ユニット３０の使用者ＨＵの胴体側端縁間に縫い付けられていることを特徴とする。
本態様に係る枕１では、中ユニット１０、右ユニット２０、及び左ユニット３０のそれぞれは、右連結部４１、及び左連結部４２以外の部分で縁が切れているため、使用者ＨＵの頭部ＨＤを載せたユニットが変形しても、他のユニットはこの変形の影響を殆ど受けない。これにより、頭部ＨＤへの押圧力が分散され、寝心地を向上させることができる。
また、この枕１では、各連結部４１、４２を中心に各ユニット１０、２０、３０を扇形に開くことにより、ユニット同士の間には空所ＳＰ１、ＳＰ２が形成される。各空所ＳＰ１、ＳＰ２により頭部ＨＤ周辺の通気性がよくなるため、熱や湿気が籠もり難くなり、寝心地を向上させることができる。
また、この枕１では、寝返りに伴って使用者ＨＵの頭部ＨＤが隣のユニットに移動すると、移動先のユニットは頭部ＨＤが載ることによって位置がずれる。寝返りが繰り返し行われることにより、各ユニット１０、２０、３０は使用者ＨＵに適した位置に落ち着くため、寝返り時における頭部ＨＤのフィット感を向上させることができる。
【００４３】
＜第二の実施態様＞
本態様に係る枕１００は、中ユニット１０の幅Ｗ１を使用者ＨＵの首幅の１．５倍以上２倍以下に定めたことを特徴とする。
本態様に係る枕１００では、中ユニット１０に頭部ＨＤを載せている横臥姿勢の使用者ＨＵが寝返りを打った時に、頭部ＨＤを隣のユニット（右ユニット２０、又は左ユニット３０）の上面に位置させることができる。
【００４４】
＜第三の実施態様＞
本態様に係る枕１は、中ユニット１０の奥行きＬ１を、使用者ＨＵの頸部から後頭部までを支持し、且つ頭頂部を支持しない長さに定めたことを特徴とする。
本態様に係る枕１では、使用者ＨＵの頭頂部が中ユニット１０によって支持されなくなり、頭頂部の熱が空気中へ放出され易くなる。その結果、枕１に熱が籠もり難くなり、寝心地を向上させることができる。
【００４５】
＜第四の実施態様＞
本態様に係る枕１では、中ユニット１０、右ユニット２０、及び左ユニット３０が、側生地を直方体形状に縫製した袋体内に詰め物を充填したものであることを特徴とする。
本態様に係る枕１では、袋体内に充填する詰め物の種類を選択し、当該詰め物の充填量を調整することにより、各ユニット１０、２０、３０の固さや高さを調整することができる。
【００４６】
＜第五の実施態様＞
本態様に係る枕４００は、中ユニット４１０と右ユニット４２０の使用者ＨＵの頭頂側端部間に設けられ、中ユニット４１０に対する右ユニット４２０の最大開放角度を規定する右ストッパ紐４４３と、中ユニット４１０と左ユニット４３０の使用者ＨＵの頭頂側端部間に設けられ、中ユニット４１０に対する左ユニット４３０の最大開放角度を規定する左ストッパ紐４４４と、を備えることを特徴とする。
本態様に係る枕４００では、各ストッパ紐４４３、４４４によって中ユニット４１０に対する右ユニット４２０の最大開放角度、及び中ユニット４１０に対する左ユニット４３０の最大開放角度が規定されるため、左右の各ユニット４２０、４３０の開きすぎを抑制して使用者ＨＵの好みにあわせることができる。
【００４７】
＜第六の実施態様＞
本態様に係る枕２００では、右ユニット２２０の幅方向における中ユニット２１０とは反対側に配置されて使用者ＨＵの右上腕部ＡＭが載ることにより変形する補助ユニット２５０と、右ユニット２２０と補助ユニット２５０の使用者ＨＵの胴体側端縁間を開閉自在に連結した補助連結部（他の連結部）２４３と、を備えることを特徴とする。
本態様に係る枕２００では、使用者ＨＵの右上腕部を補助ユニット２５０の上に載せることができるため、右上腕部ＡＭをマットレスの上面よりも少し高くした姿勢で睡眠を取りたい使用者ＨＵの要求に応えることができる。
【００４８】
＜第七の実施態様＞
本態様に係る枕２００では、補助ユニット２５０は、側生地を右ユニット２２０が備えた右袋体２２１よりも高さの低い直方体形状に縫製した補助袋体（他の袋体）２５１内に詰め物を充填したものであることを特徴とする。
本態様に係る枕２００では、使用者ＨＵの右上腕部を違和感のない高さに位置付けることができる。
【符号の説明】
【００４９】
１…枕（第一実施形態），１０…中ユニット（主枕ユニット），１１…中袋体，２０…右ユニット（副枕ユニット），２１…右袋体，３０…左ユニット（副枕ユニット），３１…左袋体，４１…右連結部，４２…左連結部，１００…枕（第二実施形態），１１０…中ユニット，１２０…右ユニット，１３０…左ユニット，１４１…右連結部，１４２…左連結部，２００…枕（第三実施形態），２１０…中ユニット，２２０…右ユニット，２３０…左ユニット，２４１…右連結部，２４２…左連結部，２４３…補助連結部，２５０…補助ユニット，ＳＰ１…右空所，ＳＰ２…左空所，ＳＰ１１…右空所，ＳＰ１２…左空所，ＨＵ…使用者，ＨＤ…頭部，ＡＭ…右上腕部
【図１】
2020127706.tif 000003
【図２】
2020127706.tif 000004
【図３】
2020127706.tif 000005
【図４】
2020127706.tif 000006
【図５】
2020127706.tif 000007
【図６】
2020127706.tif 000008
【図７】
2020127706.tif 000009
【図８】
2020127706.tif 000010
【図９】
2020127706.tif 000011
【図１０】
2020127706.tif 000012
【手続補正書】
【提出日】令和2年1月20日(2020.1.20)
【手続補正１】
【補正対象書類名】特許請求の範囲
【補正対象項目名】請求項１
【補正方法】変更
【補正の内容】
【請求項１】
使用者の頭部が載ることにより変形する主枕ユニットと、
前記主枕ユニットの幅方向一側と他側のそれぞれに配置されて前記頭部が載ることにより変形する一対の副枕ユニットと、
前記主枕ユニットと前記各副枕ユニットの前記使用者の胴体側端部間を近接状態で開閉自在に連結した連結部と、
を備え、
前記連結部は、布地によって作製されて前記主枕ユニットと前記各副枕ユニットとに縫い付けられており、且つ前記主枕ユニットに対して前記各副枕ユニットを開放させた時に、前記主枕ユニットと前記各副枕ユニットとの間に空所を形成させることを特徴とする枕。
【手続補正２】
【補正対象書類名】明細書
【補正対象項目名】０００６
【補正方法】変更
【補正の内容】
【０００６】
上記課題を解決するために、本発明に係る枕は、使用者の頭部が載ることにより変形する主枕ユニットと、前記主枕ユニットの幅方向一側と他側のそれぞれに配置されて前記頭部が載ることにより変形する一対の副枕ユニットと、前記主枕ユニットと前記各副枕ユニットの前記使用者の胴体側端部間を近接状態で開閉自在に連結した連結部と、を備え、前記連結部は、布地によって作製されて前記主枕ユニットと前記各副枕ユニットとに縫い付けられており、且つ前記主枕ユニットに対して前記各副枕ユニットを開放させた時に、前記主枕ユニットと前記各副枕ユニットとの間に空所を形成させることを特徴とする。
【手続補正３】
【補正対象書類名】明細書
【補正対象項目名】００４２
【補正方法】変更
【補正の内容】
【００４２】
[本発明の実施態様例と作用、効果のまとめ]
＜第一の実施態様＞
本態様に係る枕１は、使用者ＨＵの頭部ＨＤが載ることにより変形する中ユニット１０（主枕ユニット）と、中ユニット１０の幅方向一側と他側のそれぞれに配置されて頭部ＨＤが載ることにより変形する右ユニット２０、及び左ユニット３０（一対の副枕ユニット）と、中ユニット１０と右ユニット２０の使用者ＨＵの胴体側端縁間を開閉自在に連結した右連結部４１と、中ユニット１０と左ユニット３０の使用者ＨＵの胴体側端縁間を近接状態で開閉自在に連結した左連結部４２と、を備え、各連結部４１、４２は、布地によって作製されて中ユニット１０と右ユニット２０の使用者ＨＵの胴体側端縁間、及び中ユニット１０と左ユニット３０の使用者ＨＵの胴体側端縁間に縫い付けられており、且つ中ユニット１０に対して右ユニット２０や左ユニット３０を開放させた時に、中ユニット１０と右ユニット２０の間、及び中ユニット１０と左ユニット３０の間に空所ＳＰ１、ＳＰ２を形成させることを特徴とする。
本態様に係る枕１では、中ユニット１０、右ユニット２０、及び左ユニット３０のそれぞれは、右連結部４１、及び左連結部４２以外の部分で縁が切れているため、使用者ＨＵの頭部ＨＤを載せたユニットが変形しても、他のユニットはこの変形の影響を殆ど受けない。これにより、頭部ＨＤへの押圧力が分散され、寝心地を向上させることができる。
また、この枕１では、各連結部４１、４２を中心に各ユニット１０、２０、３０を扇形に開くことにより、ユニット同士の間には空所ＳＰ１、ＳＰ２が形成される。各空所ＳＰ１、ＳＰ２により頭部ＨＤ周辺の通気性がよくなるため、熱や湿気が籠もり難くなり、寝心地を向上させることができる。
また、この枕１では、寝返りに伴って使用者ＨＵの頭部ＨＤが隣のユニットに移動すると、移動先のユニットは頭部ＨＤが載ることによって位置がずれる。寝返りが繰り返し行われることにより、各ユニット１０、２０、３０は使用者ＨＵに適した位置に落ち着くため、寝返り時における頭部ＨＤのフィット感を向上させることができる。